(57)【特許請求の範囲】
【請求項１】
縦方向及び横方向、縦方向に走る中央線（２９）、横方向に走る中央線、縦方向に走る二つの側縁（９，１０）、横方向に走る二つの端縁（１１，１２）を有し、さらに液体透過性表面層（２）、液密表面層（３）、縦方向中央線の方に向けられた開口を有しかつ各側縁（９，１０）に沿って配置された側部バリヤーポケット（４０，４１）、及び表面層（２，３）の間に配置された吸収体（４）を含む吸収物品であって、吸収体（４）が少なくとも一つの中間貯蔵部分（２２−２５）及び液体移動部分（２６）を含むものにおいて、吸収体が貯蔵部分（２７，２８）を含み、その貯蔵部分が液体移動部分（２６）と直接的に連通して及び中間貯蔵部分（２２−２５）と直接的に又は間接的に連通して配置され、中間貯蔵部分（２２−２５）が液体移動部分（２６）と直接接触して側縁（９，１０）に沿って配置されていること、中間貯蔵部分（２２−２５）が側部バリヤーポケット内に配置されていること、中間貯蔵部分（２２−２５）と液体移動部分（２６）における材料間の液体の移動が液体移動部分（２６）が中間貯蔵部分（２２−２５）から液体を排出するようなものであること、液体移動部分（２６）が物品の縦方向に走る中央線（２９）と側縁（９，１０）の間で中間貯蔵部分（２２−２５）内に配置されていること、及び貯蔵部分（２７）が、貯蔵部分（２７）の周縁全体が液体移動部分（２６）と接するように、液体移動部分（２６）間の中央に配置されており、
吸収体（４）が縦方向中央線（２９）に沿って配置された二つの貯蔵部分（２７，２８）を有することを特徴とする吸収物品。
【請求項２】
各端縁（１１，１２）における端部（６，７）、及び端部（６，７）の間に位置される股部（８）を有する請求項１に記載の吸収物品において、側部バリヤーポケット（４０，４１）が少なくとも一つの端部（６，７）上に側縁（９，１０）に沿って配置されていることを特徴とする請求項１に記載の吸収物品。
【請求項３】
側部バリヤーポケット（４０，４１）が液体透過性表面層（２）に隣接する中間貯蔵部分（２２−２５）上に疎水性材料層（３０，３１）の形で液体バリヤーを配置することによって形成されていることを特徴とする請求項１又は２に記載の吸収物品。
【請求項４】
側部バリヤーポケット（５４０，５４１；６４０，６４１）が物品の側縁（５０９，５１０；６０９，６１０）のまわりに折りたたまれる縁部（６０３′）を有する液密表面層（５０３；６０３）によって形成されていることを特徴とする請求項１又は２に記載の吸収物品。
【請求項５】
中間貯蔵部分（５２２，５２３）からの及びそれへの液体移動を容易にするための手段が側部バリヤーポケット（５４０，５４１）の開口に隣接して配置されていることを特徴とする請求項１〜４のいずれかに記載の吸収物品。
【請求項６】
中間貯蔵部分からの及びそれへの液体移動を容易にするための手段が吸収体における一以上の圧縮溝を含むことを特徴とする請求項５に記載の吸収物品。
【請求項７】
中間貯蔵部分（５２２，５２３）からの及びそれへの液体移動を容易にするための手段が側部バリヤーポケット（５４０，５４１）の縁フラップ（５４２，５４３）を含み、その縁フラップ（５４２，５４３）が吸収体への結合を持たないことを特徴とする請求項５又は６に記載の吸収物品。
【請求項８】
中間貯蔵部分からの及びそれへの液体移動を容易にするための手段が側部バリヤーポケットに取り付けられた弾性部材を含むことを特徴とする請求項５，６又は７に記載の吸収物品。
【請求項９】
中間貯蔵部分からの及びそれへの液体移動を容易にするための手段がスペーサ部材を含むことを特徴とする請求項５〜８のいずれかに記載の吸収物品。
【請求項１０】
中間貯蔵部分（２２−２５）が両側縁（９，１０）において配置されていることを特徴とする請求項１〜９のいずれかに記載の吸収物品。
【請求項１１】
中間貯蔵部分が物品の横方向に走る中央線の両側上に配置されていることを特徴とする請求項１０に記載の吸収物品。
【請求項１２】
少なくとも一つの液体移動部分（２６）が物品の縦方向全体に沿って走ることを特徴とする請求項１〜１１のいずれかに記載の吸収物品。
【請求項１３】
少なくとも一つの液体移動部分（２６）が物品の横方向全体に沿って走ることを特徴とする請求項１〜１２のいずれかに記載の吸収物品。
【発明の詳細な説明】
【０００１】
技術分野：
本発明は、縦方向及び横方向、縦方向に走る中央線、横方向に走る中央線、縦方向に走る二つの側縁、横方向に走る二つの端縁を有し、さらに液体透過性表面層、液密表面層、縦方向中央線の方に向けられた開口を有しかつ各側縁に沿って配置された側部バリヤーポケット、及び表面層の間に配置された吸収体を含む吸収物品であって、吸収体が少なくとも一つの中間貯蔵部分及び一つの液体移動部分を含むものに関する。
【０００２】
背景技術：
体液を吸収することを意図される、おむつ又は失禁パッドの如き吸収物品と関連する一般的な問題は流体が物品の側縁を越えて漏出することである。側部漏出の防止を助けるために、物品の側縁に沿って異なるタイプの漏出バリヤーを配置することが習慣的である。例えば、おむつ及び失禁パッドは物品が使用される間、使用者の脚のまわりを締め付けかつ脚に対して封止接触して物品の側縁を保持する弾性部材を与えられることが多い。弾性部材は高くされた縁バリヤーを形成するために使用されることもできる。別の方法で、例えば液体が物品の側縁上を自由に流れることを防止する隆起などを与えることによって高くされたバリヤーを作ることもできる。
【０００３】
しかしながら、側縁における漏出を避けるためにこれまでなされた全ての努力にもかかわらず、特にある用途において問題はなお残ったままであることが見出された。使用者が横になった状態で位置するとき、側部漏出の危険が大きい。この状態で排出される体液は重力の影響によって物品の縦方向側縁に走り、そこに集まり、そこで利用可能な吸収材料は液体で素早く過飽和されるようになる。そのとき吸収されないが側縁に沿って自由に走ることができる液体が残る。もし物品と使用者の体の間のゆとりが生じるような方法で使用者が動くなら、この液体が物品の側縁を越えて押し出されて漏れる危険がもちろん大きい。
【０００４】
使用者が横になった状態にあるときの漏出の危険が大きい一つの理由は吸収物品の吸収能力が限定された範囲でしか利用されないことである。従って、使用者が横になっているとき、最も遠い側縁に最も近い吸収材料は過飽和され、一方物品の吸収能力の大部分は決して使い尽くされないままである。それゆえ体液が実質的に乾燥した物品から漏出することが起こりうる。
【０００５】
発明の目的：
本発明の一つの目的は改良された液体取扱い能力を有する吸収物品を利用可能にすることである。本発明の別の目的は物品を使用する人が横になった状態に位置するときであっても、改良された漏出安全性を物品に与えることである。また、本発明による物品は物品の吸収体に存在する吸収能力の高い利用度を有する。
【０００６】
発明の簡単な記述：
本発明による吸収物品は第一例では中間貯蔵部分が液体移動部分と直接接触して側縁に沿って配置されていること、中間貯蔵部分が側部バリヤーポケット内に配置されていること、及び中間貯蔵部分と液体移動部分における材料間の液体の移動が液体移動部分が中間貯蔵部分から液体を排出するようなものであることを特徴とする。
【０００７】
本発明の一例によれば、物品は各端縁に位置される二つの縁部を有し、側部バリヤーポケットは物品の少なくとも一つの縁部に配置されることが有利である。
【０００８】
側部バリヤーポケットに配置される中間貯蔵部分の目的は吸収物品の縁部に流れる液体を捕らえることである。これは物品を使用する人が横になっているときに一般に起こる。液体移動部分が中間貯蔵部分から液体を排出する能力を有するような方法で吸収体の材料を選択することによって、側部バリヤーポケットに集まる液体は液体移動部分によってそこから徐々に移動されることができる。新しい液体が吸収物品に到達するとき、この液体も中間貯蔵部分における材料によって吸収されることができる。中間貯蔵部分における液体親和性は液体移動部分における液体親和性より低いので、中間貯蔵部分から液体移動部分への液体移動が促進される。ある材料の別の材料と比較した液体親和性は当業者に良く知られた多数の要因、例えば毛管圧力、有効細孔サイズ、湿潤角度、拡散、ゲル中の液体を化学結合するための材料の能力などに依存する。
【０００９】
吸収物品は液体が平面において移動可能であること及び液体ができるだけ少ない障害で側部バリヤーポケット中に及びそれから外に移動できることが重要である。それゆえ使用者が横になるときであっても側部バリヤーポケットが平面において液体の通路のために開放し続けていることが不可欠である。また、物品中の最適な液体移動を得るために、吸収体の異なる吸収部分が互いに直接接触していることが不可欠である。互いに直接接触している吸収体の二つの部分は一つの吸収部分の少なくとも一つの表面が他の吸収部分の一表面に対して支持しており、従って吸収体中の他のいかなる成分の作用なしで液体がそれらの部分間で移動されることができる。加えて、少なくともそれらの部分が湿潤しているとき、接触表面の吸収部分間でいかなるゆとりも空間もあってはならない。かかるゆとり又は空間は吸収体中の移動流路をさえぎり、その結果として吸収部分間の液体移動が悪影響される。本発明の範囲内では、湿潤時に膨潤する吸収材料を選択することができる。かかる場合には、構造物が湿潤され膨潤するときにゆとり又は間隙が架橋されうることを条件として、吸収物品は湿潤前に隣接部分間でいくらかのゆとり又は狭い間隙を有することができる。
【００１０】
吸収体の各中間貯蔵領域上に疎水性材料の形の液体バリヤーを配置することによって側部バリヤーポケットを形成することが有利であることが証明されている。かかる液体バリヤーは物品の液体透過性表面層の内側又は外側上に配置されることができる。表面層の内側は物品の吸収層の方に向けられる表面層の表面を意味することを意図され、一方表面層の外側は物品を装着する人の方に向けられることを意図される表面層の表面である。液体バリヤーを形成する疎水性材料層は液体透過に抵抗する実質的な能力を有し、もし望むなら完全に液密にすることができる。しかしながら、とりわけ実際のポケットを構成する部分、即ち中間貯蔵領域を包囲する部分において液体透過に抵抗する実質的な能力を有することが重要であり、一方ポケット開口の最も近くに位置される液体バリヤー材料の部分はわずかに液密でない材料から作られることができる。好適なバリヤー材料はプラスチックフィルム及び疎水性でありかつ好ましくは微細な多孔質である不織材料である。液体透過性表面層上に配置されたワックス又は同種被覆の層を使用することもできる。繊維表面層の内側上に液体バリヤー材料を配置することによって、表面層は皮膚からの湿分を取り込むことができる。それは吸収物品が快適に装着でき、高湿分レベルによって生じる皮膚炎症の危険が少ないことを意味する。液密バリヤー層の表面上の湿分の蓄積を減らすために、液体バリヤー層として通気性のフィルムを使用することが有利である。
【００１１】
疎水性材料層は物品の側縁のまわりに折りたたまれる液密表面層の一部からなることができ、かくして中間貯蔵部分を含む物品の吸収体の縁部が折りたたまれた表面層によって形成される液体ブロッキング側部ポケットに包囲される。あるいは、側部バリヤーポケットは物品の側縁に沿って実質的に液密の継ぎ目において液密表面層に接続される液体ブロッキング材料の別個のストリップによって形成されることができる。
【００１２】
側部バリヤーポケットは側縁全体に沿って、又は物品の縁部の一つ又は両方においてだけ配置されることができる。
【００１３】
側部バリヤーポケットが圧縮にさらされるときであっても側部バリヤーポケットが開放しつづけ液体を中間貯蔵部分中に流すことを可能とすることを確実にするためには、中間貯蔵部分への及びそれからの液体の移動のために側部バリヤーポケットを開放しつづけるための手段が側部バリヤーポケットの開口に配置されることが好ましい。かかる手段は例えば吸収体における一以上の圧縮溝からなることができる。側部ポケットを開放しつづけるために使用されることができる手段の別の例は側部バリヤーポケットに取り付けられた一以上の弾性部材である。側部バリヤーポケットにおける材料がポケット内で吸収材料への結合を持たないようにすること、又は少なくとも側部バリヤーポケットの縁部が吸収体への結合を持たないようにすることが有用であるかもしれない。湿潤すると溶解する結合剤を使用して側部バリヤーポケットを吸収材料に取り付けることもできる。側部バリヤーポケットは弾力性のある綿、発泡材料又は同種弾性材料から作られるスペーサ部材を与えられることができる。側部バリヤーポケットが閉じるのを防止するために使用されることができる他の手段は湿潤すると膨張する材料である。かかる材料の例はビスコースフォーム、超吸収材料のタブレット、又は圧縮され、圧縮された状態で水溶性結合剤と結合された弾力性のある綿である。
【００１４】
本発明の好ましい例によれば、中間貯蔵部分は物品の両側縁において配置される。中間貯蔵部分は物品の横方向に走る中央線の両側に配置されることもできる。
【００１５】
吸収体は液体移動部分と直接的に連通して及び中間貯蔵部分と直線的に又は間接的に連通して配置される貯蔵部分を含むことが好ましい。その貯蔵部分は中間貯蔵部分及び液体移動部分の両方より大きい液体親和性を有し、液体移動部分から液体を排出する能力を有する。貯蔵部分は液体が液体移動部分を介して中間貯蔵部分からその貯蔵部分へ移動されるように物品に配置される。貯蔵部分は吸収された液体を結合する能力を有する材料を含むことが有利である。かかる材料の例は超吸収材の名称によって一般化されているポリマーである。超吸収材は材料自体の重量の数倍の液体を吸収し水性ゲルを形成する能力を有する材料である。
【００１６】
本発明の一例によれば、液体移動部分は物品の縦方向に走る中央線と各側縁の間に、物品の横方向に中間貯蔵部分内に配置される。一つ又は二つの貯蔵部分が次いで縦方向中央線に沿って液体移動部分間の中央に配置される。物品が縦方向中央線に沿って配置された二つの貯蔵領域を含むとき、一つの貯蔵領域が物品の一つの端縁の方にオフセットされ、一方他の貯蔵領域が物品の他の端縁の方にオフセットされることが好ましい。かかるデザインでは、吸収物品は股部に吸収材料がほとんどないか又は全くない構成とすることができる。これは幾つかの利点を有する。例えば、極めて細長い快適な股部を持つ物品を構成することができる。加えて、かかる吸収体を持つおむつは使用者の脚のまわりに接触しておむつを保持する弾性部材を要求せずに適所に保持されることができる。
【００１７】
物品の長さ全体に沿った吸収材料の使用を容易にするためには、少なくとも一つの液体移動部分が本質的に物品の縦方向全体に沿って走ることが好ましい。対応して、液体移動部分は物品の横方向全体に沿って配置されることができる。
【００１８】
中間貯蔵部分は吸収体における液体受入領域であり、それゆえ液体を迅速に受入れ液体を吸収できなければならない。中間貯蔵部分はまた一時的な液体貯蔵空間を構成し、それゆえ大きな液体親和性を有する材料に液体を相対的に容易に放出することができなければならない。中間貯蔵部分において十分に機能することが見出されている材料の一例はＨＴＣＴＭＰ、即ち高温ケミサーモメカニカルセルロースパルプであり、８ｃｍ３／ｇの嵩を有する。一つのかかる好適なセルロースパルプはＷＯ  ９４／１０９５７に記載されたタイプのフラッシュ乾燥パルプである。
【００１９】
液体移動部分は中間貯蔵部分から液体を排出しなければならない。それは液体移動部分中の材料が中間貯蔵部分中の材料より大きい液体に対する親和性を有するように選択されなければならない。液体移動部分のための好適な材料は６ｃｍ３／ｇの嵩を有するケミカルセルロースパルプ、及び３〜３．５ｃｍ３／ｇの嵩を有するＷＯ  ９４／１０９５６に記載されたタイプの材料である。
【００２０】
吸収された液体は最終的に貯蔵部分に貯蔵されなければならない。それは貯蔵部分が液体移動部分から液体を排出する能力を有しなければならないことを意味する。これは強く圧縮されたセルロース繊維の層、セルロースフォームなどの従来の貯蔵材料を使用して達成されることができる。貯蔵部分は液体を吸収し水性ゲルの形で吸収された液体を結合することができる超吸収材料を含むことが有利である。貯蔵材料として超吸収材料だけを使用することもできる。
【００２１】
物品に含まれる様々な吸収部分は上に記載したように、異なる特性、特に異なる液体取込み能力を有する異なるタイプの材料から作られることができる。熱可塑性材料を含む吸収材料を使用することによって様々な部分間の液体の所望の移動を得ることもできる。かかる材料は異なる領域に異なる密度を有するように熱によって結合されることができ、その結果として一つの同じ出発材料から予め決められた方法で液体が移動される材料を得ることができる。
【００２２】
漏出に対する物品の安全性をさらに増大するために、縁バリヤーを物品の側縁に沿って縦方向に走らせて配置することができる。
【００２３】
かかる縁バリヤーは弾性部材を含むことができる。物品の側縁に沿って液密材料を配置することによって縁バリヤーを形成することもできる。
【００２４】
例えば、液密表面層は物品の側縁上を走る縁部を有することができる。かかる縁バリヤーは薄いプラスチックフィルムの折り返された部分によって作られることができ、あるいは注型又は圧縮による剛い材料によって形成されることができる。後者のケースでは、物品の吸収体は吸収体の周囲のまわり全体に高くされた壁を伴って、カップ形状液密シェル中に置くことができる。
【００２５】
本発明による液体捕獲側部バリヤーポケットは物品の前縁及び／又はその後縁に配置された縁バリヤー又はバリヤーポケットによって補われることができる。
【００２６】
本発明による吸収物品は物品の前又は後縁上の中央にだけ取り付けられる、例えばベルト又はストラップの如き固定部材によって使用者に有利に適合させることができる。このタイプの固定部材の利点はそれらが物品の側部バリヤーポケットが体に対して圧縮されることを防止することである。これは物品の中央部分が体液を捕獲し、次いでその体液を側部ポケットに運ぶと同時に、寝たきりの人の場合の皮膚の通気を容易にする。
【００２７】
図面の簡単な記述：
本発明は添付図面に示される図面を参照して以下に詳細に記載されるだろう。
図１は本発明による吸収体を有するおむつの平面図を示す。
図２は使用されるときの図１からのおむつの内側の液体の流れを示す。
図３は本発明による吸収体の第一代替例を示す。
図４は本発明による吸収体の第二代替例を示す。
図５は本発明による吸収体の第三代替例を示す。
図６は本発明による失禁パッドを示す。
図７は本発明のさらなる例による吸収物品の横断面を示す。
【００２８】
図示例の詳細な記述：
図１及び２に示されたおむつ１は第一液体透過性表面層２、第二液密表面層３、及び表面層２，３の間に配置された吸収体４を含む。二つの表面層２，３は吸収体４より平面において大きな範囲を有し、吸収体４を越えてその周囲全体のまわりに突出する。表面層２，３は例えば熱又は超音波による溶接又は接着によって突出部５の内側に互いに接続される。
【００２９】
液体透過性表面層２はこの目的のために公知の材料、例えば不織材料の層、有孔プラスチックフィルム、網目材料などから作られることができる。表面層２はもちろん同じ又は異なる材料の二以上の層の積層体を含むこともできる。しかしながら、液体透過性表面層２は別個の構成要素である必要はなく、その代わり吸収体４の一体化された部分であることができる。かかる例では、表面層２，３は吸収体４のまわりに突出縁５を形成しない。表面層２を形成することができかつ吸収体４に含まれることもできる材料の例はフォーム、綿などである。
【００３０】
液密表面層３は液密プラスチックフィルム、液体ブロッキング材料で被覆された不織層、又は液体の透過に抵抗することができる他の容易に曲げることができる材料層であることができる。しかしながら、もし液密表面層３がある程度通気性があるなら、即ち層３を水蒸気が透過できるなら有利であるだろう。
【００３１】
おむつ１は幅広い前及び後部６，７及び狭い中間股部８を伴う細長い形状を有する。前部６はおむつが使用されるときに使用者の前方に向けられることを意図されるおむつ１の部分であり、後部７は使用者の後方に向けられるおむつの部分である。また、おむつ１は二つの内方に湾曲された縦方向側縁９，１０、前縁１１及び後縁１２、二つの前コーナ部１３，１４及び二つの後コーナ部１５，１６を有する。
【００３２】
おむつ１は下着のように使用者の胴体の下部を包囲するような方法で使用中一緒に保持されるタイプのものである。この目的のため、テープ１７，１８はおむつの後縁１２において各側縁９，１０から突出して配置される。テープ１７，１８はおむつ１の前部６における液密表面層３上に配置された受入領域１９と協働することを意図される。かかる受入領域１９は例えば余分のプラスチック層の形のいくつかの剛化型、又は液密表面層３上に適用された被覆を有することが好ましい。もちろん、ボタンとボタンホール、ホックとアイレット、スナップ、ベルクロファスナーなどの、おむつ１のための他のタイプの固定配置を使用することを考えることもできる。
【００３３】
また、おむつ１はおむつの側縁９，１０に沿って配置された予め緊張された縦方向弾性部材２０，２１を与えられる。弾性部材２０，２１は使用者の体の形状におむつ１を曲げるように設計され、同時にそれらはおむつの脚弾性体を構成する。即ち、弾性部材２０，２１は使用中、おむつと使用者の体の間にゆとりを全く生じないことを確実にするために、使用者の脚に対して接触しておむつの側縁９，１０を保持する作用を有する（ゆとりが生ずると、そのゆとりを通して体液がおむつから漏出するおそれがある）。
【００３４】
液体透過性表面層２の方に向けられた吸収体４の表面は吸収体において異なる機能を行う異なる部分に分割される。即ち、吸収体４はおむつのコーナ部１３−１６に配置される四つの中間貯蔵部分２２−２５、吸収体４と同じ形状及び平面範囲を持つ材料層として液密層３の最も近くに配置される液体移動部分２６、及び前部６及び後部７のそれぞれにおいておむつを通る縦方向中央線２９に沿って配置された二つの貯蔵部分２７，２８を有する。異なる部分における材料は液体親和性が中間貯蔵部分２２−２５から液体移動部分２６及びその先の貯蔵部分２７，２８への方向に増加するような方法で選択される。加えて、異なる部分２２−２８はおむつの側縁９，１０の方に走り出し側縁９，１０の近くで吸収される液体が次いで側縁９，１０から離れて貯蔵部分２７，２８へ積極的に移動されるような方法で互いに対して配置される。
【００３５】
漏出に対するおむつの安全性をさらに増加するために、バリヤーストリップ３０，３１は使用中使用者の方に向けられることを意図される表面上に、おむつの各側縁９，１０に沿って配置される。バリヤーストリップ３０，３１は液体透過性表面層２の外側上に配置されて示されるが、それらは代わりに液体透過性表面層２の内側上に配置されることができる。バリヤーストリップ３０，３１は各側縁９，１０上の各継ぎ目５へ外に延び、その結果として液体ブロッキング側部ポケット４０，４１がおむつの側縁９，１０において形成される。バリヤーストリップ３０，３１はそれらが中間貯蔵領域２２−２５にオーバーラップするような範囲でおむつの横方向に延びる。
【００３６】
好適な液体ブロッキング材料は様々なタイプの疎水性不織層、プラスチックフィルム、又は液体抵抗材料の被覆である。快適性の理由のため、バリヤー材料が通気性であること、即ち空気及び蒸気を透過できることが有利である。使用中使用者の体とバリヤー材料の間の湿分の蓄積を避ける別の方法は液体ブロッキング側部ポケット４０，４１の外側上に吸収材料、例えば不織布の薄い層を配置することである。
【００３７】
中間貯蔵領域に使用するために好適な材料タイプは繊維構造、フォーム又は同種多孔性材料である。例えば、低い湿潤性を有するセルロース毛羽パルプである、いわゆるＨＴＣＴＭＰを使用することができる。
【００３８】
国際特許出願ＰＣＴ／ＳＥ  ９８／０００７８はＣＴＭＰ繊維の表面が後退湿潤角度（return wetting angle）を増大するために薬剤で処理されたケミサーモメカニカルセルロース毛羽パルプ（ＣＴＭＰ）から作られた繊維構造の如き吸収構造を記載する。ＣＴＭＰ繊維のかかる処理によって、０°−１０°から約４０°までの後退湿潤角度を増大することが可能であることが証明されている。それは吸収構造が湿潤後であっても相対的に低い湿潤性を有することを意味する。
【００３９】
湿潤時にしばしば起こる湿潤性の変化を減らすために他のタイプの吸収材料を処理することもできる。
【００４０】
動的接触角度（dynamic contact angle）は液体の前部が置換されるときに存在する角度として理解されなければならない。進入湿潤角度（advance wetting angle）及び後退湿潤角度という用語は液体が乾燥表面上に進入するとき又は液体が最近湿潤された表面上を後退するときに動的接触角度が測定されるかどうかを示すことを意図される。
【００４１】
後退湿潤角度を増大するために使用されることができる薬剤はエチルヒドロキシエチルセルロース（ＥＨＥＣ）であり、それは例えばスプレー又はコーティングによって、例えば溶液又は懸濁液の形で薬剤を含有する液体で、又は他の公知の表面処理方法によって吸収構造に適用される。
【００４２】
吸収体４に含まれる部分２２−２８が毛管圧力において差を有することを確実にすることによって、吸収体４において制御されかつ予測可能な液体分布を得ることができる。
【００４３】
液体移動部分２６における材料は良好な液体移動を与える材料であることが好ましい。この関連で使用されうる材料は約２００ｇ／ｍ２のグラム割合を有する化学的に生成されたセルロース毛羽パルプ（ＣＰ）である。良好に機能することが見出されている別の材料はＷＯ  ９４／１０９５６に記載された吸収材料である。この材料は乾燥形成された繊維層であり、それは最初に離解されずに吸収物品に直接使用される。吸収フォーム材料は液体移動部分２６における吸収材料として使用されることもできる。
【００４４】
貯蔵部分２７，２８に使用される材料は高い湿潤性及び毛管性を有するべきである。好適な材料は毛羽パルプと一般に超吸収材と称される高吸収ポリマー材料の混合物である。超吸収材料は例えば繊維、フレーク、粒子、顆粒又はフィルムの形で存在させることができ、自重の数倍に相当する体液を吸収して水性ゲルを形成することができる。超吸収材は相対的にゆっくりと液体を吸収するが、圧力下であっても吸収された液体を保持することができる。超吸収材料は例えばセルロース繊維と混合されることができる。あるいは、超吸収材料はティッシュ材料の層などの良好な液体移動を与える材料の層の間に配置されることができる。かかる配置の利点は液体が超吸収材料の大部分に素早く到達することである。
【００４５】
図２は使用者が横になった状態で横たわるとき、図１に示されたおむつ１の内側で体液がどのように広がるかを示す。図では、使用者の体は省略され、おむつは股部８に向かう方向で使用者の腰の開口から眺められている。図では、おむつは前部６を図の左の方に、一方後部７を図の右の方に向けている。また、使用者は支持体３２上に横たわっており、従っておむつは上部分３３と支持体３２にもたれている下部分３４を有する。
【００４６】
尿が放出されるとき、液体は二つの貯蔵領域２７，２８の間に、おむつの股部８に主に排出される。使用者が横たわっているので、いくらかの液体は矢印ａによって示されているように、重力の影響下でおむつの下部分３４に流れるだろう。多くの液体が下部分３４に位置される中間貯蔵部分２２，２４に流れるだろう。その部分２２，２４は支持体３２の最も近くに、最も遠い下方に位置されるおむつの部分である。体液は中間貯蔵部分２２，２４に吸収され、それによっておむつの下方側縁９を越えて流れることを防止される。中間貯蔵部分２２，２４に蓄積される液体は中間貯蔵部分２２，２４に接する液体移動部分２６における材料によって徐々に取り込まれる。なぜならばこの部分２６における材料は中間貯蔵部分２２，２４における材料より大きい液体親和性を有するからである。液体は次いで液体移動部分２６から貯蔵部分２７，２８へと上方に運ばれ、そこで液体は最終的に残る。液体移動部分２６と貯蔵部分２７，２８の間の液体の移動はこれらの領域の間の液体親和性における差の効果として積極的に達成される。
【００４７】
図３は単一の中央縦方向貯蔵部分３２７を持つ別の吸収体３０４を示す。中央縦方向貯蔵部分３２７は吸収体３０４の平面において液体移動部分３２６によって包囲され、液体移動部分３２６は順に中間貯蔵部分３２２によって包囲されている。様々な部分が上に次々と重ねられた材料の層を含むことができ、液体移動部分３２６は貯蔵部分３２７より大きい平面範囲を有し、中間貯蔵部分３２２は液体移動部分３２６より大きい平面範囲を有する。かかる例では、中間貯蔵部分３２２は吸収体３０４が吸収物品に配置されるときに使用者の方に向けられることを意図される表面の最も近くに配置されることが好ましい。しかしながら、液体移動部分３２６の外側に配置される中間貯蔵部分３２２の部分が吸収体の横方向に存在すること及び液体移動部分３２６が吸収体３０４の横方向で見ると貯蔵部分３２２の外側に配置される部分を対応して有することが不可欠である。
【００４８】
図４は中央矩形液体移動部分４２６の周りに配置される連続中間貯蔵部分４２２を伴う吸収体４０４を示す。この図では、吸収体４０４は吸収物品中の吸収体の使用中に物品を使用する人の方に向けられることを意図される表面から見たものである。中間貯蔵部分４２２は液体移動部分４２６上に配置される連続液体受入層によって形成される。液体移動部分４２６と中間貯蔵部分４２２の間に、又は液体移動部分４２６の下に、即ち図４を研究する人から最も遠くに、液体貯蔵部分４２７，４２７′，４２７″を構成する液体貯蔵材料の三つのストリップがある。
【００４９】
図５は液体分布材料の層間に配置された超吸収材料を伴う、液体分布材料の層からなる中央に配置された貯蔵部分５２７を有する例を横断面で示す。超吸収材料は積層体の中央部において配置されているだけである。従って、液体分布材料は貯蔵部分５２７の両側上に超吸収材料を越えて横方向に延び、物品の側縁５０９，５１０に配置された中間貯蔵部分５２２，５２３と直接的に連通する液体移動部分５２６を形成する。
【００５０】
図５に示された吸収物品５０４はまた物品の側縁５０９，５１０において中間貯蔵部分５２２，５２３のまわりで折り返されている液密表面層５０３によって形成される側部バリヤーポケット５４０，５４１を有する。液密表面層５０３の折り返された部分は液体移動部分５２６の方に開放する側部バリヤーポケット５４０，５４１を形成し、使用者によって排出される液体を中間貯蔵部分５２２，５２３へ移し、その後液体移動部分５２６を介して貯蔵部分５２７に移動されることを可能にする。排出された液体が側部バリヤーポケット５４０，５４１中に流れることを確実にするために、縁フラップ５４２，５４３が吸収体５０４に対して付着せずに、各側部バリヤーポケット５４０，５４１上に配置される。それによって各縁フラップ５４２，５４３と吸収体５０４の間にすき間が形成され、そこで液体はスピードを緩め、側部バリヤーポケット５４０，５４１中に案内されることができる。
【００５１】
自由縁フラップ５４２，５４３の効果は各縁フラップ５４２，５４３において弾性部材を配置することによってさらに増大されることができる。かかる弾性部材は吸収体５０４の表面から縁フラップを持ち上げること及び液体の流れを遅くし、それを側部ポケット５４０，５４１中に案内することを助ける。
【００５２】
快適性の理由のため、プラスチックフィルムの液密表面層５０３の外側に液体透過性表面層５０２を配置することが好ましいが、その代わりに外側に液密表面層５０３をもちろん配置することができる。かかる例の利点は高くした縁フラップ５４２，５４３の遅速効果が縁フラップが液体透過性表面層５０２によってカバーされるときより大きいことである。
【００５３】
図６は軽い失禁を持つ人のために意図されたタイプである失禁パッド６０１を示す。かかる失禁パッドは失禁パッドを通常の下着の股領域に適合させることができるサイズを有する。
【００５４】
失禁パッド６０１は失禁パッド６０１の吸収体６０４のためのカップ形状容器に形成される液密表面層６０３を与えられている。液体透過性表面層６０２は吸収体６０４上に配置され、連続縁継ぎ目６０５における液密表面層６０３に固定される。
【００５５】
液密表面層６０３によって形成されるカップ形状容器は物品の側縁６０９，６１０及び端縁６１１，６１２に沿って延びる縁壁６０３′を有する。縁壁６０３′は吸収体６０４の厚さに相当する高さを有し、その結果として吸収体６０４の縁が液密材料によってカバーされる。縁壁６０３′は液密表面層とともに、中間貯蔵部分６２２−６２５に蓄積される液体が失禁パッドの外に流れ出ることを防止する側部バリヤーポケット６４０，６４１を形成する。
【００５６】
カップ形状液密表面層は例えば発泡材料層、プラスチック層、又は液密材料で被覆された厚紙材料から作られることができる。
【００５７】
カップ形状は弾性部材を使用することによっても得られることができる。
【００５８】
吸収体６０４は図１〜５のいずれかに示されているように、又は図６に示されているように構成されることができ、それは縦方向側縁６０９，６１０に沿って物品の各端部６０６，６０７に配置された中間貯蔵部分６２２−６２５を伴って、横方向に中間貯蔵部分６２２−６２５の内側に配置された液体移動部分６２６を伴って、及び液体移動領域６２６の表面を横切って分布される多数の小さな円形貯蔵部分６２７を伴って構成されることができる。
【００５９】
図７は液体移動部分７２６が液密表面層７０３の内側で物品の全幅を横切って連続層として延びる吸収物品の横断面を示す。中間貯蔵部分７２２及び７２３は液体移動部分７２６を介して液体貯蔵部分７２７と直接的に及び間接的に接触されている。
【００６０】
液体ブロッキング側部バリヤーポケット７４０，７４１は中間貯蔵部分が側部バリヤーポケット７４０，７４１の内側に位置されるように液体透過性表面層の外側上に配置される液密バリヤーストリップ７３０，７３１によって形成される。
【図面の簡単な説明】
【図１】  本発明による吸収体を有するおむつの平面図を示す。
【図２】  使用されるときの図１からのおむつの内側の液体の流れを示す。
【図３】  本発明による吸収体の第一代替例を示す。
【図４】  本発明による吸収体の第二代替例を示す。
【図５】  本発明による吸収体の第三代替例を示す。
【図６】  本発明による失禁パッドを示す。
【図７】  本発明のさらなる例による吸収物品の横断面を示す。
【図１】
0004607396.tif 000002
【図２】
0004607396.tif 000003
【図３】
0004607396.tif 000004
【図４】
0004607396.tif 000005
【図５】
0004607396.tif 000006
【図６】
0004607396.tif 000007
【図７】
0004607396.tif 000008